(57)【要約】【課題】簡単構成で早朝／夜間血圧測定のための測定タイミングを得て、血圧測定を実施する。【解決手段】電子血圧計では本体部１０はカフ２０に着脱自在に取付けられる。就寝時には、被測定者は、本体部１０を取外したカフ２０を生体の手首に巻付けて、睡眠状態に入る。カフ２０に内蔵される加速度センサ２６により検出される体動の検出信号と温度センサ２７により検出される体温の検出信号とから、被測定者の睡眠期間が検出される。検出した睡眠期間の前後で、カフ２０に一体的に装着された本体部１０の回路により血圧測定が行なわれる。【選択図】図３
2010099383.tif 000002
【特許請求の範囲】
【請求項１】
被測定者の血圧を測定する電子血圧計であって、
メモリ部を含み、生体の手首に巻付けられる巻付け部材と、
血圧を測定する測定部と、
前記メモリ部のデータを解析し、解析結果に基づき、睡眠期間を検出する期間検出部と、
前記生体の測定部位に巻付けられて、測定時に流体が供給されることにより膨張する測定用袋と、
前記期間検出部により検出した前記睡眠期間の前後において、前記測定部により血圧測定を行わせる制御部と、を備え、
前記測定部は、
測定時に前記測定用袋の内圧を測定する圧力センサと、
前記圧力センサが測定した内圧に基づき血圧を算出する血圧算出部と、を含み、
前記巻付け部材は、
体動を検出するための加速度センサと、
体温を検出するための温度センサと、
前記加速度センサと前記温度センサの検出信号を入力し、当該検出信号のデータを入力の時系列に前記メモリ部に格納するデータ収集部と、をさらに含む、電子血圧計。
【請求項２】
前記期間検出部は、前記メモリ部のデータが指示する前記加速度センサと前記温度センサの検出信号レベルを、前記睡眠期間を判定するための所定条件に基づき解析し、前記睡眠期間を検出する、請求項１に記載の電子血圧計。
【請求項３】
前記血圧算出部により算出した血圧を、測定時間データと関連付けて格納する読出し可能な血圧格納部を、さらに備える、請求項１または２に記載の電子血圧計。
【請求項４】
前記巻付け部材は、前記測定用袋で代替され、
前記測定部は、前記測定用袋に着脱自在に取付けられる、請求項１から３のいずれかに記載の電子血圧計。
【請求項５】
前記睡眠期間の後からの経過時間を出力する、請求項１から４のいずれかに記載の電子血圧計。
【請求項６】
現在時間を計時するタイマをさらに備え、
前記睡眠期間を指示する時間と、予め設定された時間との差分に応じて、前記タイマの設定を促すメッセージを出力する、請求項１から５のいずれかに記載の電子血圧計。
【発明の詳細な説明】
【技術分野】
【０００１】
この発明は電子血圧計に関し、特に、血圧測定に関して被測定者の睡眠時間を考慮した判断をすることのできる電子血圧計に関する。
【背景技術】
【０００２】
通常、血圧は夜寝ている間は低くなっているが、起床後に徐々に高くなる。特に早朝の上がり方がが著しい場合に‘早朝高血圧’であると考えられる。早朝高血圧の人は、脳血管疾患や虚血性心疾患になるリスクが高い。また、一般に夜間の血圧は昼間より下がり、脈拍もかなり下がるので、心臓や血管への負担はぐっと軽くなるが、夜も血圧が下がらない‘夜間高血圧’の場合は、心臓や血管に負担をかけ脳卒中のリスクが高まるとされる。
【０００３】
したがって、早朝/夜間高血圧を発見するため、家庭での血圧管理が重要であり、朝と夜の血圧を毎日か繰返して測定する必要がある。
【０００４】
血圧計の時計機能は、血圧測定した時刻を記録するために用いられるので、早朝/夜間高血圧を発見する上で正確な時計機能は重要である。
【０００５】
しかしながら、従来の血圧計の時計機能の時刻合わせは使用者任せの手動設定がほとんどである。従来の血圧計は、適切な時刻設定なしでも測定が可能であり、また電池駆動の装置は、電池交換のたびに時刻の再設定が必要なので、時刻設定をおろそかにしてしまう。
【０００６】
また電波時計のような自動的に時刻設定する機能を備える場合には、電波が届かない場所や地域では時刻補正をすることができない。
【０００７】
そこで、人体から得られる情報に基づき、人体固有の時間（睡眠）情報を計測する機能が提案されている。特許文献１では、人体の睡眠周期を検出して計時する機能が、特許文献２には、就寝中の生体情報から安静状態にある期間を検出する機能が開示される。また、特許文献３では、血圧測定のタイミングを被験者の睡眠の深さに基づき計時する機能が開示される。
【特許文献１】特開平８−１２２４５２号公報
【特許文献２】特開平８−３１７９０９号公報
【特許文献３】特開２００７−２２９２３８号公報
【発明の開示】
【発明が解決しようとする課題】
【０００８】
従来の電子血圧計の時計機能では使用者任せによる時刻合わせであったので、また、電池駆動型の電子血圧計では、電池交換時に使用者による時計の再設定が必要であったので、使用者がわずらわしさを感じた場合には、適切な時刻設定がされない。また、従来の電子血圧計は時刻設定しなくても血圧測定が可能であった。したがって、このようなケースでは、時刻設定しないで血圧測定が行なわれるので、測定結果として記録される時刻に信頼性がなく、早朝/夜間高血圧の傾向も正確に判断することができない。
【０００９】
また、使用者任せによる時刻合わせを省略するために電波時計のような手段を用いることも可能である。しかしながら、電波が届かない場所や地域では正しい時刻に設定することができない。
【００１０】
また、適切に時刻設定されても測定結果の測定時刻から早朝/夜間高血圧の傾向を判断することが困難な場合もある。つまり、被測定者毎に生活のリズムは異なり、また、シフトワーカのように生活リズムが昼夜逆転する場合には、正確に時刻設定した時計を用いたとしても、被測定者毎の生活リズムに従う早朝および、夜間の測定時間帯を明確に判断することはできない。
【００１１】
しかしながら、特許文献１は、単に睡眠周期に対しアラームを出力する時計機能を提供するに過ぎず、被測定者の早朝／夜間高血圧測定のための測定タイミングを提供することはできない。また、特許文献２も就寝中の安静状態を検出するが、被測定者の早朝／夜間高血圧測定のための測定タイミングを提供することはできない。また、特許文献２では、装置を組込んだベッドを準備する必要があり、装置が大型化し現実的ではない。また、特許文献３では、睡眠の深さに基づき血圧測定タイミングを得ているにすぎず、被測定者の早朝／夜間高血圧測定のための測定タイミングを提供することはできない。
【００１２】
それゆえに本発明の目的は、簡単な構成で、被測定者の生活リズムによらず、早朝／夜間血圧測定のための測定タイミングを得て、血圧測定を実施する電子血圧計を提供することである。
【課題を解決するための手段】
【００１３】
この発明のある局面に従うと、被測定者の血圧を測定する電子血圧計は、メモリ部を含み、生体の手首に巻付けられる巻付け部材と、血圧を測定する測定部と、メモリ部のデータを解析し、解析結果に基づき、睡眠期間を検出する期間検出部と、生体の測定部位に巻付けられて、測定時に流体が供給されることにより膨張する測定用袋と、期間検出部により検出した睡眠期間の前後において、測定部により血圧の測定を行わせる制御部と、を備え、測定部は、測定時に測定用袋の内圧を測定する圧力センサと、圧力センサが測定した内圧に基づき血圧を算出する血圧算出部と、を含み、巻付け部材は、体動を検出するための加速度センサと、体温を検出するための温度センサと、加速度センサと温度センサの検出信号を入力し、当該検出信号のデータを入力の時系列にメモリ部に格納するデータ収集部と、をさらに含む。
【００１４】
好ましくは、期間検出部は、メモリ部のデータが指示する加速度センサと温度センサの検出信号レベルを、睡眠期間を判定するための所定条件に基づき解析し、睡眠期間を検出する。
【００１５】
好ましくは、血圧算出部により算出した血圧を、測定時間データと関連付けて格納する読出し可能な血圧格納部を、さらに備える。
【００１６】
好ましくは、血圧格納部における、もっとも最近の時間を指す測定時間データと、睡眠期間の開始時間との差分に基づき、当該測定時間データに関連付けされた血圧を、就寝時血圧と決定する。
【００１７】
好ましくは、血圧格納部において、就寝時血圧と決定した血圧に関連付けて、就寝時血圧を指示するデータを格納する。
【００１８】
好ましくは、血圧格納部における、もっとも最近の時間を指す測定時間データと、睡眠期間の終了時間との差分に基づき、当該測定時間データに関連付けされた血圧を、起床時血圧と決定する。
【００１９】
好ましくは、血圧格納部において、起床時血圧と決定した血圧に関連付けて、起床時血圧を指示するデータを格納する。
【００２０】
好ましくは、血圧格納部には、血圧算出部により算出した血圧に、さらに睡眠期間のデータを関連付けて格納する。
【００２１】
好ましくは、巻付け部材は、測定用袋で代替され、測定部は、測定用袋に着脱自在に取付けられる。
【００２２】
好ましくは、睡眠期間の後からの経過時間を出力する。
好ましくは、現在時間を計時するタイマをさらに備え、算出した就寝/起床時間と、予め設定された時間との差分に応じて、タイマの設定を促すメッセージを出力する。
【発明の効果】
【００２３】
本発明によれば、生体の手首に巻付けられる巻付け部材に含まれる加速度センサにより検出される体動の検出信号と温度センサにより検出される体温の検出信号とから、被測定者の睡眠期間を検出して、検出した睡眠期間の前後で血圧測定が行なわれたか判断できる。
【００２４】
したがって、巻付け部材を用いる簡単な構成で、被測定者の生活リズムによらず、早朝／夜間血圧測定のための測定タイミングを得て、血圧測定を実施することができる。
【発明を実施するための最良の形態】
【００２５】
以下、この発明の実施の形態について図面を参照して詳細に説明する。なお、各図中、同一符号は同一または相当部分を指し、その説明は繰返さない。
【００２６】
ここで、本実施の形態では、‘就寝’とは被測定者が床に入る動作を指し、‘起床’とは被測定者が睡眠から目覚めて起き上がる動作を指す。また、被測定者が就寝した後に睡眠状態に入るときを‘入眠’といい、睡眠から覚醒することを‘目覚め’という。
【００２７】
図１は、この発明の実施の形態に係る手首式電子血圧計１の外観を示す図である。
図１を参照して、電子血圧計１は、本体部１０と、被測定者の四肢に巻き付け可能なカフ２０とを備える。本体部１０はカフ２０に取り付けられている。本体部１０の表面には、たとえば液晶等により構成される表示部４０と、ユーザ（被測定者）からの指示を受付
けるための操作部４１とが配置されている。操作部４１は、複数のスイッチを含む。
【００２８】
本実施の形態においては、カフ２０は、被測定者の手首に装着されるものとする。
図２は、本発明の実施の形態に係る電子血圧計１における血圧測定のためのカフ圧を制御する概念を表わした図である。図２には、カフ２０が、被測定者の手首２００に装着された様子が示される。
【００２９】
図２を参照して、本体部１０には、ポンプ５１および排気弁（以下、単に「弁」という）５２を含むカフ圧の調整機構が配置される。
【００３０】
ポンプ５１、弁５２、および空気袋２１内の圧力（カフ圧）を検出するための圧力センサ３２からなるエア系３０は、エアチューブ３１を介して、カフ２０に内包される空気袋２１と接続される。このように、エア系３０が本体部１０に設けられるため、カフ２０の厚みを薄く保つことができる。
【００３１】
図３は、本発明の実施の形態に係る電子血圧計１のハードウェア構成を表わすブロック図である。
【００３２】
図３を参照して、電子血圧計１のカフ２０は、空気袋２１と、各種の回路が配置される基板２２と、基板２２の回路に電力を供給する電池２８と、カフ側装着検出スイッチ２９とを含む。
【００３３】
基板２２は、ＣＰＵ（Central Processing Unit）２４、ＣＰＵ２４に接続されるメモリ部２３およびＩ／Ｆ（インターフェイスの略）２５、ならびにＩ／Ｆ２５を介してＣＰＵ２４に対し検出データを与える加速度センサ２６および温度センサ２７を備える。加速度センサ２６は、カフ２０が巻付けられた手首の傾き角度を検出する。温度センサ２７はカフ２０が装着された部位における体温を検出する。
【００３４】
本体部１０は、上述の表示部４０および操作部４１に加え、各部を集中的に制御し、各種の演算処理を行なうためのＣＰＵ（Central Processing Unit）１００と、ＣＰＵ１００に所定の動作をさせるプログラムや血圧データを含む各種データを記憶するためのメモリ部４２と、本体部１０の各部に電力を供給するための電源４４、および現在時間を計時して計時データをＣＰＵ１００に出力するタイマ４５とを含む。操作部４１は、電源をＯＮまたはＯＦＦするための指示の入力を受付ける電源スイッチ４１Ａと、測定開始の指示を受付けるための測定スイッチ４１Ｂと、測定停止の指示を受付けるための停止スイッチ４１Ｃと、メモリ部４２に記録された血圧などの情報を読出し表示部４０に表示する指示を受付けるためのメモリスイッチ４１Ｄと、被測定者を識別するためのＩＤ（Identifier）情報を入力するために操作されるＩＤスイッチ４１Ｅを有する。
【００３５】
本体部１０は、さらに、上述したエア系３０と、カフ圧の調整機構５０と、発振回路３３と、本体側装着検出スイッチ４６と、ＣＰＵ１００と基板２２との間で信号を送受信するためのＩ／Ｆ（インターフェイス）４７とを含む。ＣＰＵ１００と基板２２との通信は、たとえば赤外線などの無線信号により行なわれる。Ｉ／Ｆ２５とＩ／Ｆ４７は、たとえば赤外線通信のための発光部、受光部および変復調部に相当する。
【００３６】
調整機構５０は、ポンプ５１および弁５２の他、ポンプ駆動回路５３と弁駆動回路５４とを有する。
【００３７】
ポンプ５１は、カフ圧を加圧するために、空気袋２１に空気を供給する。弁５２は、空気袋２１の空気を排出しまたは封入するために開閉される。ポンプ駆動回路５３は、ポンプ５１の駆動をＣＰＵ１００から与えられる制御信号に基づいて制御する。弁駆動回路５４は弁５２の開閉制御をＣＰＵ１００から与えられる制御信号に基づいて行なう。
【００３８】
圧力センサ３２は、たとえば、静電容量型の圧力センサでありカフ圧により容量値が変化する。発振回路３３は、圧力センサ３２に接続されて、圧力センサ３２の容量値に応じた発振周波数の信号をＣＰＵ１００に出力する。ＣＰＵ１００は、発振回路３３から得られる信号を圧力に変換し圧力を検知する。
【００３９】
本発明の実施の形態に係る電子血圧計１は、図４と図５に示すように、本体部１０は、カフ２０に着脱自在に装着される。
【００４０】
カフ側装置検出スイッチ２９と本体側装着検出スイッチ４６は、カフ２０に本体部１０が装着されて両者が一体的に接続されたか否かを検出するための機能を有する。カフ側装置検出スイッチ２９の検出結果は、基板２２に搭載されるＣＰＵ２４に与えられ、本体側装着検出スイッチ４６の検出結果は、ＣＰＵ１００に与えられる。カフ側装置検出スイッチ２９と本体側装置検出スイッチ４６のうち一方のスイッチのみで、カフ２０に本体部１０が装着されて両者が一体的に接続されたか否かを検出する機能を実現してもよい。
【００４１】
本体部１０には、本体側装着検出スイッチ４６が備えられる。本体側装着検出スイッチ４６は、カフ２０と本体１０とが一体的に接続されたか否かを検出し、その検出結果をＣＰＵ１００に出力する。
【００４２】
図１に示した手首式電子血圧計１の分離可能な構成について説明する。図４と図５を参照して、カフ２０には、本体部１０が着脱自在に装着される。図４では、カフ２０の本体部１０が装着される面においては、内部のエアチューブ３１に繋がる管の部分２０Ａと２０Ｂが設けられ、さらに、本体部１０を取付けるためのフック状の係止部２０Ｘ、２０Ｙおよび２０Ｚを有する。一方、図５を参照して、カフ２０に装着時にカフ２０の表面と接する本体部１０の筐体の面においては、内部のエアチューブ３１に繋がる管の部分１０Ａおよび１０Ｂが設けられるとともに、本体部１０をカフ２０に係止するための穴状の部分１０Ｘ、１０Ｙおよび１０Ｚが予め形成されている。
【００４３】
カフ２０に本体部１０を装着するときには、被測定者は、フック状の部材からなる係止部２０Ｘ、２０Ｙおよび２０Ｚそれぞれを、本体部１０の穴状の部分１０Ｘ、１０Ｙおよび１０Ｚそれぞれに位置合わせして係合させる。図６には、カフ２０の係止部２０Ｘ、２０Ｙおよび２０Ｚのフックを側面から見た状態が示される。これにより、本体部１０はカフ２０に係止される。このように、電子血圧計１においては、カフ２０上に本体部１０を係止して連結する連結部が構成される。つまり、連結部では、カフ２０の係止部２０Ｘ、２０Ｙおよび２０Ｚと、これらのそれぞれに対応した本体部１０の部分１０Ｘ、１０Ｙおよび１０Ｚとを係脱可能にしてカフ２０上に本体部１０が係止される。
【００４４】
本体部１０が連結部によってカフ２０に係止された状態においては、本体部１０とカフ２０は図１に示されるように一体的な構成となる。この状態において、本体部１０に設けられた管の部分１０Ａ、１０Ｂのそれぞれは、カフ２０の管の部分２０Ａおよび２０Ｂそれぞれとは勘合状態となる。つまり、部分１０Ａ、１０Ｂの管の径と、部分２０Ａおよび２０Ｂ管の径とはサイズが相違するので、このサイズの相違を利用して、両者は勘合状態となる。
【００４５】
本実施の形態では、本体部１０はカフ２０に係脱可能に取付けられるが、本体部１０がカフ２０に装着されたか否かは、カフ側装置検出スイッチ２９および本体側装着検出スイッチ４６により検出される。
【００４６】
図７と図８を参照して、カフ２０に本体部１０が上述の連結部を介して装着されているか否かの検出機構について説明する。図７（Ａ）〜（Ｃ）を参照し、最も簡単な検出方法は、押しボタンスイッチを使うものである。本体部１０の本体側装着検出スイッチ４６は通常は突起状の伸縮自在の部分が本体部１０の筐体のカフ２０と装着する面から外部に突出している。図７（Ａ）の状態では、本体部１０はカフ２０に装着されていないので、本体側装着検出スイッチ４６はＯＦＦ状態であり、このとき、本体側装着検出スイッチ４６は“ＯＦＦ”信号をＣＰＵ１００に出力する。
【００４７】
図７（Ｃ）に示すように本体部１０がカフ２０に装着されるときには、本体側装着検出スイッチ４６の突起状の部分は、カフ２０との接触面によって押圧されてその分縮む。これにより、その本体側装着検出スイッチ４６は図７（Ａ）→図７（Ｂ）の状態となる。図７（Ｂ）の状態においては、本体側装着検出スイッチ４６からは“ＯＮ”信号がＣＰＵ１００に出力される。その後、本体部１０がカフ２０から取り外されると、本体側装着検出スイッチ４６の縮んでいた突起状の部分が伸びて元に戻りＯＦＦ状態となる。このとき、本体側装着検出スイッチ４６は“ＯＦＦ”信号をＣＰＵ１００に出力する。
【００４８】
カフ２０において本体部１０が上述の連結部を介して装着された状態検出においては、カフ側装着検出スイッチ２９が設けられる。カフ側装着検出スイッチ２９は図７（Ａ）〜（Ｃ）の押しボタンスイッチで実現してもよい。本体部１０が装着された状態になると、“ＯＮ信号”をＣＰＵ２４に出力し、何もあたっていない状態（本体部１０がカフ２０から取外された状態）になると、“ＯＦＦ信号”をＣＰＵ２４に出力する。
【００４９】
本体部１０のカフ２０への装着の有無は、図７（Ａ）〜（Ｃ）の押しボタンスイッチを用いるものに限定されず、図８のような方法であってもよい。図８では、たとえば光センサなどを使う方法が示される。図８では、本体側装着検出スイッチ４６は、光センサ４６３により代替される。光センサ４６３は、発光素子４６１と受光素子４６２を有する。カフ２０が本体部１０に装着されていない状態では、発光素子４６１から出力された光は、何ら遮られることなく受光素子４６２により受光されて、その受光レベルに応じてカフ２０に未装着であることを示す“ＯＦＦ”信号が出力される。一方、本体部１０がカフ２０に装着されるときは、突起部材２９１が発光素子４６１と受光素子４６２間の光の経路を遮るから、受光素子４６２の受光レベルは低下し、光センサ４６３からは、その受光レベルに応じてカフ２０が装着されたことを示す“ＯＮ”信号が導出されて、ＣＰＵ１００に与えられる。
【００５０】
図９および図１０を参照して、本実施の形態に係る加速度センサ２６について説明する。加速度センサ２６は、本実施の形態においては、図１の電子血圧計１を装着した手首が心臓の高さに来ると音または表示で報知するための高さガイド機能に兼用されている。
【００５１】
ここで、高さガイド機能とは、手首式電子血圧計１を用いた正しい測定姿勢をガイドするためのものである。図１０（Ａ）に示されるように、測定部位である手首を心臓の高さに合わせることを目的として、手首が心臓の高さに来るとガイド情報が音または、表示部４０で図１０（Ｂ）のような画像で報知される。
【００５２】
手首が心臓の高さにあるかを検知するために加速度センサ２６の検出信号を用いる。具体的には、加速度センサ２６は二軸（直交するＸ軸およびＹ軸）の加速度センサであり、図９（Ａ）のように、電子血圧計１は加速度センサ２６によるＸ軸およびＹ軸方向の検出角度の信号に基づき装着された腕の傾きを検知する。腕に装着された電子血圧計１の図９（Ｂ）に示されるような前腕のピッチ方向および図９（Ｃ）に示されるロール方向の加速度センサ２６による検出角度（角度φ、角度ｏ）および操作部４１から入力した被測定者の腕の長さの情報を用いて、カフ２０と心臓の高さを算出する。この高さガイド機能の詳細は、本願出願人による、特許第３９７２１４４号公報に詳細に示されているので、ここでは、その説明は略す。
【００５３】
本実施の形態では、加速度センサ２６により、ピッチ方向およびロール方向の角度を検出し、検出角度に基づき、カフ２０が装着された手首が動いているか、すなわち体動があるか否かを検出する。
【００５４】
図１１には、本実施の形態に係る電子血圧計１の機能構成が示される。図１１を参照し、ＣＰＵ１００には、圧力調整部１０１、血圧算出部１０２、装着検出部１０３、データ収集制御部１０４、高さガイド機能のための高さ検出部１０５、報知部１０６、および状態判断部１０７を備える。
【００５５】
圧力調整部１０１はポンプ駆動回路５３および弁駆動回路５４を介してポンプ５１および弁５２を制御し、エアチューブ３１を介して空気袋２１内に空気を流入・排出することにより、カフ圧を調整する。ポンプ５１は、カフ圧を加圧するために、空気袋２１に空気を供給する。弁５２は、空気袋２１の空気を排出しまたは封入するために開閉される。ポンプ駆動回路５３は、ポンプ５１の駆動をＣＰＵ１００から与えられる制御信号に基づいて制御する。弁駆動回路５４は弁５２の開閉制御をＣＰＵ１００から与えられる制御信号に基づいて行なう。
【００５６】
圧力センサ３２は、血圧測定用袋であるカフ２０内の圧力（カフ圧という）を検出するための静電容量型の圧力センサでありカフ圧により容量値が変化する。発振回路３３は、圧力センサ３２の容量値に応じた発振周波数の信号をＣＰＵ１００に出力する。ＣＰＵ１００は、発振回路３３から得られる信号を圧力に変換し圧力を検知する。
【００５７】
血圧算出部１０２は発振回路３３から入力する脈圧信号に基づき、たとえば、オシロメトリック法に従い最高血圧および最低血圧（収縮期血圧および拡張期血圧）を算出（推定）し、ならびに所定時間当たりに検出する脈圧信号に基づき脈拍数を算出する。具体的には、圧力調整部１０１によりカフ圧を所定値まで徐々に加圧（または減圧）させる過程において、発振回路３３からの圧力検知信号に基づいて、被測定者の最高血圧および最低血圧を算出する。血圧算出部１０２による血圧および脈拍の算出は従来から知られている方法を適用することができる。
【００５８】
装着検出部１０３は、図７または図８で説明した本体側装着検出スイッチ４６からの検出信号に基づき、本体部１０がカフ２０に一体的に装着されているか否かを検出する。検出結果は、データ収集制御部１０４に与えられる。データ収集制御部１０４は、装着検出部１０３から与えられる信号に従い、Ｉ／Ｆ４７を介してカフ２０側に、データ収集を制御するための信号を出力する。
【００５９】
高さ検出部１０５は、Ｉ／Ｆ４７を介してカフ２０の加速度センサ２６から入力する検出信号に基づき、上述した高さガイド機能の処理を実行し、その処理結果を報知部１０６を介して表示部４０に表示する。
【００６０】
状態判断部１０７は、カフ２０からＩ／Ｆ４７を介して入力する信号に基づき、被測定者の就寝／起床時刻を算出する就寝／起床時刻算出部１１１、血圧測定からの経過時間を算出する経過時間算出部１１２、被測定者が起床してからの経過時間を算出する起床からの経過時間算出部１１３、および、被測定者の睡眠時間を算出する睡眠時間算出部１１４を備える。これら各部における時間の算出に際しては、タイマ４５から入力する計時データが用いられる。
【００６１】
時刻補正ガイド部１０８は、被測定者に対してタイマ４５の時刻を正しい時刻に設定しなおすように促す機能を有する。
【００６２】
図１１ではＣＰＵ１００の周辺回路については、ＣＰＵ１００と直接に入出力する部分のみを示している。
【００６３】
図１２には、本実施の形態に係るメモリ部４２のデータの格納例が示される。メモリ部４２は、領域Ｅ１およびＥ２を備える。領域Ｅ１には、血圧算出部１０２による血圧測定結果のデータがレコードＲ単位で格納される。レコードＲには、測定した最高血圧（収縮期血圧）のデータ４３１を格納するためのフィールドＦＥ１、測定した最低血圧（拡張期血圧）４３２を格納するためのフィールドＦＥ２、検出した脈拍数のデータ４３３を格納するためのフィールドＦＥ３、タイマ４５から与えられる計時データに基づき血圧測定した時刻を指示するデータ４３４を格納するためのフィールドＦＥ４、およびフラグＦ１またはＦ２のいずれかのデータ４３５を格納するためのフィールドＦＥ５を含む。
【００６４】
血圧算出部１０２は、メモリ部４２に記憶する測定データに関連してポインタ４２１を設定する。ポインタ４２１は、血圧算出部１０２が格納した最新の測定データのレコードＲを指示する。ここで、最新の測定データとは、関連付けられているデータ４３４が指示する時刻が、最も最近の時刻を指示するようなデータである。
【００６５】
ここでは、測定結果データはレコード単位で格納されるとしたが、データ４３１〜４３５が関連付けられて格納される形式であれば、レコード形式に限定されるものではない。
【００６６】
また、レコードＲには、後述する睡眠時間ＴＭのデータが関連付けて格納されてもよい。これにより、メモリ部４２に記憶するレコードＲのデータを読出し表示部４０に表示すれば、被測定者は、当該レコードＲの血圧測定データは、十分な睡眠が得られたときのデータであるか否かを、同時に表示される睡眠時間ＴＭに基づき判定でき、測定データの信頼度を判断できる。
【００６７】
図１３には、本実施の形態に係る温度センサ２７と加速度センサ２６の出力信号の一例が示される。図１３を参照して、温度センサ２７の出力信号Ｌ１と、加速度センサ２６の出力信号Ｌ２に基づき、被測定者の睡眠時間を検出する手順について説明する。
【００６８】
図１３においては、縦軸に、温度センサ２７の出力信号Ｌ１と加速度センサ２６の出力信号Ｌ２の出力レベル（出力電圧）が取られ、横軸には、タイマ４５による計時時間に基づく時間の経過が示される。図１３では、カフ２０から本体１０が取外されたタイミングを指す時刻ＴＲ１と、カフ２０に本体１０が装着されたタイミングを指示する時刻ＴＲ２が示される。
【００６９】
本実施の形態では、被測定者は就寝する際には、カフ２０から本体部１０を取外し、カフ２０のみを測定部位である手首に巻付ける。その後、睡眠に入る。この就寝の際に本体部１０を取外した時点でタイマ４５から入力した計時データに基づき時刻ＴＲ１が検出される。その後、被測定者は睡眠から目覚めて起床すると、取外していた本体部１０を手首に巻付けているカフ２０に装着する。この起床の際に本体部１０を装着した時点でタイマ４５から入力した計時データに基づき時刻ＴＲ２が検出される。
【００７０】
カフ２０に対する本体部１０の装着／取外しは、本体側装着検出スイッチ４６の検出信号に基づき装着検出部１０３により検知される。装着検出部１０３は、本体側装着検出スイッチ４６から入力する検出信号が指す値（ＯＮまたはＯＦＦ）を記憶しており、入力した検出信号の値と記憶していた値とを比較照合し、比較結果に基づき、装着されたか、取外されたかを検知する。検知信号は状態判断部１０７およびデータ収集制御部１０４に出力される。
【００７１】
本実施の形態では、時刻ＴＲ１〜ＴＲ２の間において、被測定者が睡眠状態にある睡眠時間ＴＭが測定される。一般に、人間は入眠すると、体温は急激に低下し、目覚める頃には上昇することが知られている。したがって、体温を計測する温度センサ２７の出力信号Ｌ１の信号波形がおよそＶ字を指示する期間において、睡眠状態であることが推定（検出）される。また、睡眠状態においては、被測定者の体動はおおよそ止まることが知られている。したがって、加速度センサ２６の出力信号Ｌ２は、その振幅が一定振幅ＡＭの間で収束する期間において、睡眠状態であることが推定（検出）される。なお、一定振幅ＡＭは、実験により予め多くの被験者からサンプリングしたデータに基づき求めておくことができる。
【００７２】
出力信号Ｌ１とＬ２の信号レベルをデータとして入力し、タイマ４５から入力する計時データと関連付けてメモリ部４２の所定記憶領域に格納することにより、出力信号Ｌ１とＬ２のデータ収集が行なわれる。このデータ収集の結果、メモリ部４２の所定記憶領域においては、図１３のような波形がプロットされることになる。
【００７３】
被測定者が睡眠状態にある期間においては、メモリ部４２の所定記憶領域に格納された出力信号Ｌ１の波形のデータを微分処理などで解析し解析結果に基づきＶ字波形を指示する期間を求める。そして、出力信号Ｌ２についても同様に波形を解析し振幅が一定振幅ＡＭの間で収束する期間とを求め、求めた期間の両方が重なる期間を検出して、検出した期間に基づき、図１３のように被測定者の睡眠時間ＴＭを検出することができる。
【００７４】
図１４には、本実施の形態に係る被測定者の睡眠時間を考慮した処理のフローチャートが示される。このフローチャートは、予めプログラムとしてメモリ部４２の所定の記憶領域、およびメモリ部２３の所定の記憶領域に格納されており、ＣＰＵ１００がメモリ部４２から、およびＣＰＵ２４がメモリ部２３から、当該プログラムの命令コードを読出し実行することにより処理が実現される。
【００７５】
ここでは、予め、被測定者の測定部位（手首）において、図１０（Ａ）に示されるように電子血圧計１が装着されていると想定する。
【００７６】
電子血圧計１が手首に装着された状態において、ＣＰＵ１００は、操作部４１の電源スイッチ４１Ａが電源ＯＦＦ操作されたか否かを判定する。電源ＯＦＦ操作がされたと判定されると（ステップＳ３でＹＥＳ）、一連の処理は終了する。これに対し、電源ＯＦＦ操作がされず、すなわち電源ＯＮ操作がされたと判定されると（ステップＳ３でＮＯ）、血圧測定処理（ステップＳ５）が行なわれる。この血圧測定処理については図１５を参照し後述する。
【００７７】
ここでは、血圧測定の開始は、電源スイッチ４１Ａの操作によるとしたが、測定スイッチ４１Ｂの操作により指示されるとしてもよい。
【００７８】
ステップＳ５の血圧測定処理が終了すると、血圧算出部１０２によって算出（測定）された血圧データ（最高血圧および最低血圧）ならびに心拍数のデータがメモリ部４２の領域Ｅ１においてレコードＲ単位で格納される。血圧算出部１０２は格納したレコードＲをポインタ４２１により指示する。このレコードＲには、フィールドＦＥ１、ＦＥ２およびＦＥ３には、測定した最高血圧のデータ４３１と最低血圧のデータ４３２および検出した心拍数のデータ４３３がそれぞれ格納される。フィールドＦＥ４には、タイマ４５から入力した計時データに基づく時間のデータ４３４が格納される。なお、この時点では、まだ、フィールドＦＥ５の値は不定であり、たとえば初期値‘０’がセットされる。
【００７９】
測定データを格納した後、測定からの経過時間算出部１１２はタイマ４５からの計時データに基づき、経過時間Ｔ１をカウント開始する（ステップＳ９）。経過時間Ｔ１は、血圧測定後から就寝時（時刻ＴＲ１）までの期間において時間を計るためのデータである。
【００８０】
その後、装着検出部１０３は、カフ２０から本体部１０が取外されたか否かを、本体側装着検出スイッチ４６が出力する検出信号に基づき判定する（ステップＳ１１）。取外されたことが検出されない間はステップＳ３の処理に戻る。
【００８１】
一方、本体部１０がカフ２０から取外されたことが検出されると（ステップＳ１１でＹＥＳ）、すなわち時刻ＴＲ１が検出されると、装着検出部１０３は、この検出信号に基づく信号を、データ収集制御部１０４に出力する。
【００８２】
データ収集制御部１０４は、入力した信号に応じて、Ｉ／Ｆ４７を介して、カフ２０側にデータ収集開始指示信号を送信する。カフ２０のＣＰＵ２４は、Ｉ／Ｆ２５を介してデータ収集開始指示信号を入力すると、加速度センサ２６および温度センサ２７の出力信号Ｌ１およびＬ２を記録（入力）し、信号が示すデータの収集を開始する（ステップＳ１３）。ＣＰＵ２４の内部には図示のないタイマがあり、このタイマの計時データに基づき、時系列の出力信号Ｌ１およびＬ２のデータ収集をすることができる。収集したデータは、ＣＰＵ２４によりメモリ部２３に格納される。
【００８３】
なおＣＰＵ１００とＣＰＵ２４とは定期的に時刻合わせの通信を行なう。この通信により、定期的にＣＰＵ２４の内部タイマと、タイマ４５との計時動作の同期がとられるので、２つのタイマは同じ計時時間を指示するように動作する。
【００８４】
出力信号Ｌ１およびＬ２のデータ収集を開始すると同時に、測定からの経過時間算出部１１２は経過時間Ｔ１のカウントを停止し、代わりに、就寝／起床時刻算出部１１１により経過時間Ｔ２の、タイマ４５の計時データに基づき、カウントが開始される（ステップＳ１５、Ｓ１７）。経過時間Ｔ２は、就寝時（時刻ＴＲ１）から起床時（時刻ＴＲ２）までの期間、すなわちデータ収集の期間において時間を計るためのデータである。
【００８５】
その後、装着検出部１０３は、本体側装着検出スイッチ４６の検出出力に基づき、本体部１０がカフ２０に装着されたか否かを検出する（ステップＳ１９）。装着が検出されなければ、処理はステップＳ１７に戻り、加速度センサ２６および温度センサ２７による検出信号のデータ収集とメモリ部２３への格納が行なわれる。
【００８６】
一方、本体部１０がカフ２０に装着されたことが検出されると（ステップＳ１９でＹＥＳ）、すなわち時刻ＴＲ２が検出されると、装着検出部１０３は検出信号をデータ収集制御部１０４に出力するので、データ収集制御部１０４はデータ収集停止信号を、Ｉ／Ｆ４７を介してカフ２０側に送信する。
【００８７】
カフ２０のＣＰＵ２４は、Ｉ／Ｆ２５を介してデータ収集停止信号を入力すると、加速度センサ２６および温度センサ２７による検出信号のデータ収集を停止する（ステップＳ２１）。そして、出力信号Ｌ１およびＬ２のデータ収集の停止と同時に、就寝／起床時刻算出部１１１は経過時間Ｔ２のカウントを停止し、代わりに、起床からの経過時間算出部１１３はタイマ４５の計時データに基づき、経過時間Ｔ３のカウントを開始する（ステップＳ２３、Ｓ２５）。経過時間Ｔ３は、カフ２０に本体部１０を装着してからの経過時間、すなわち起床時（時刻ＴＲ２）からの経過期間において時間を計るためのデータである。
【００８８】
その後、ＣＰＵ１００の睡眠時間算出部１１４は、Ｉ／Ｆ４７を介して、基板２２のＣＰＵ２４によってメモリ部２３から読出された出力信号Ｌ１とＬ２のデータに基づき、図１３で説明した解析により、睡眠時間ＴＭを算出する（ステップＳ２７）。
【００８９】
そして、ＣＰＵ１００は、睡眠時間ＴＭと所定時間とを比較して、比較結果に基づき、所定時間を超える睡眠時間があったかを検出する（ステップＳ２９）。睡眠時間ＴＭは所定時間を超えると検出されると（ステップＳ２９でＹＥＳ）、次のステップＳ３１の処理に移行するが、睡眠時間ＴＭは所定時間以下であったと判定されると（ステップＳ２９でＮＯ）、処理はステップＳ３に戻る。
【００９０】
ステップＳ３１では、ＣＰＵ１００は、経過時間Ｔ１、Ｔ２およびＴ３に基づき、現在から何時間前に入眠したかを算出する。
【００９１】
ステップＳ３３では、ＣＰＵ１００は、ポインタ４２１が指示するレコードＲのデータ４３４の時間と、ステップＳ３１で算出した入眠時刻との比較し、その差分を検出する。この差分の時間を、所定のしきい値（ＴＨ１）と比べて、差分時間≧ＴＨ１と判定されると処理は後述のステップＳ３９に移行する。差分時間＜ＴＨ１と判定されると、もっとも最近に測定した結果は就寝直後の血圧測定結果であると決定される（ステップＳ３５）。したがって、ポインタ４２が指示するレコードＲのフィールドＦＥ５に、就寝直後の血圧測定結果であることを指示するフラグＦ１をセットする（ステップＳ３７）。その後、ステップＳ３９に移行する。
【００９２】
ステップＳ３９では、経過時間Ｔ３に基づき、本体部１０をカフ２０に装着後、たとえば３０分以内に血圧測定が実施された否かが判定されるこの判定は、ポインタ４２１が指示するレコードが更新されたか否かにより検出される。起床後、所定時間（本実施の形態では、３０分としている）以内に、起床後の血圧測定が実施されたと判定されない場合には、すなわち（ステップＳ３９でＮＯ）、処理はステップＳ３に戻る。
【００９３】
一方、本体部１０をカフ２０に装着し、その後３時間以内に血圧測定が実施されたことが判定されると（ステップＳ３９でＹＥＳ）、次のステップＳ４１において、ＣＰＵ１００はカフ装着後の経過時間Ｔ３のカウントを停止する（ステップＳ４１）。その後、カウント動作を停止した経過時間Ｔ３の値に基づき起床後からの経過時間が算出される（ステップＳ４３）。
【００９４】
算出した起床後からの経過時間と、メモリ部４２に記憶されたポインタ４２１が指示するレコードＲの最新の血圧測定結果が示すデータ４３４の測定時間とを比較し、その差分を求め、差分と所定のしきい値（ＴＨ２）と比べて、差分時間≧ＴＨ２と判定されると処理はステップＳ３に移行する。差分時間＜ＴＨ２と判定されると、もっとも最近に測定した結果は起床直後の血圧測定結果であると決定される（ステップＳ４７）。
【００９５】
ステップＳ４７では、メモリ部４２に格納されているポインタ４２１が指示するレコードＲは、起床直後に血圧測定された結果を指示すると決定されて、当該ポインタ４２１が指示するレコードＲのフィールドＦＥ５に、起床直後の血圧測定結果であることを指示するフラグＦ２がセットされる（ステップＳ４９）。その後、ステップＳ３の処理に戻る。
【００９６】
なお、ここでは、ＣＰＵ２４に対するデータ収集開始／停止信号は、データ収集制御部１０４から与えられるとしているが、これに限定されない。つまり、ＣＰＵ２４は、カフ側装着検出スイッチ２９による本体部１０の装着／取外しの検出信号を入力し、この入力信号に基づき、データ収集開始／停止をするとしてもよい。
【００９７】
本実施の形態では、手首式電子血圧計１の本体部１０が取外し可能なカフ２０の内部に加速度センサ２６と温度センサ２７を設けたが、手首式血圧計に限定されない。たとえば、次のような構成であってもよい。つまり、就寝時には電子血圧計のカフとは別個のリストバンドのような形状のものを手首に装着する。リストバンド内部には加速度センサ２６と温度センサ２７を設けた基板２２が設けられる。就寝時に基板２２の回路で収集したデータは、無線により、電子血圧計に送信されるようにしても構わない。
【００９８】
（血圧測定処理）
図１５には、本実施の形態による血圧測定の処理手順が示される。この処理手順は、公知の血圧測定処理に従うものである。
【００９９】
図１５のフローチャートに示す処理は、予めプログラムとしてメモリ部４２に格納されており、ＣＰＵ１００がこのプログラムを読出して実行することにより、血圧測定処理の機能が実現される。
【０１００】
図１５を参照して、ＣＰＵ１００は、血圧測定のための所定の初期化処理を実行する（ステップＳ１０２）。
【０１０１】
次に、ＣＰＵ１００の圧力調整部１０１は、カフ２０の加圧処理を実行する（ステップＳ１０４）。本実施の形態では、発振回路３３からの出力に基づきＣＰＵ１００はカフ圧を検出し、カフ圧が所定値（たとえば１８０ｍｍＨｇ）に達したか否かを判断する。ＣＰＵ１００によりカフ圧が所定値に達すると検出されるまでの間、圧力調整部１０１により加圧処理が行われる。
【０１０２】
ＣＰＵ１００が、カフ圧が所定値に達したと判断した場合、圧力調整部１０１は加圧処理を終了し、そして、空気が徐々に排気されるようにポンプ駆動回路５３および弁駆動回路５４を制御する。これにより、カフ圧は徐々に減圧される（ステップＳ１０６）。
【０１０３】
次に、血圧算出部１０２は、公知の手法で血圧（最高血圧、最低血圧）を算出する（ステップＳ１０８）。具体的には、カフ圧が徐々に減圧する過程において、血圧算出部１０２は発振回路３３から得られる発振周波数に基づき脈波情報を抽出する。そして、抽出された脈波情報により血圧を算出する。血圧算出部１０２は、また、公知の手法により脈拍数を算出する。
【０１０４】
（起床時の血圧測定）
起床後からの経過時間Ｔ３の値を表示部４０に表示して、被測定者に、起床時の血圧測定を行なうように促してもよい。この場合には、早朝高血圧判断のための測定データを確実に得ることが可能となる。
【０１０５】
（時刻補正ガイド部１０８に処理）
時刻補正ガイド部１０８は、被測定者の生活リズムで検出した時刻ＴＲ１とＴＲ２が指す就寝／起床の時刻と、予めメモリ部４２に設定した時刻データ（たとえば、就寝２４時、起床６時）とを比較する。比較結果、その差分が所定値を超える場合には、タイマ４５の時間が正確でないと推定（検出）し、報知部１０６を介して、表示部４０に、‘タイマ４５の時間を正しくあわせるように’と促すメッセージを出力する。このメッセージを確認した被測定者による、タイマ４５の時刻合わせを期待できる。
【０１０６】
（測定結果の読出処理）
メモリ部４２に格納されたレコードＲの測定データは、操作部４１のメモリスイッチ４１Ｄが操作されると、ＣＰＵ１００によりメモリ部４２から読出されて、表示部４０に表示される。このとき、血圧測定データとともに、フラグＦ１またはＦ２に基づく情報も表示されるので、フラグＦ１の情報とともに表示される血圧データは、就寝直後のデータであり夜間高血圧を判断する基準データであることが指示される。また、フラグＦ２の情報とともに表示される血圧データは、起床直後のデータであり早朝高血圧を判断する基準データであることが指示される。
【０１０７】
メモリ部４２のレコードＲの測定データは、読出されて、医療機関の端末に送信されて、表示されてもよい。また、メモリ部４２のレコードＲを記憶する領域が着脱自在の記憶媒体から構成される場合には、当該記憶媒体を取外し、医療機関に持参して、記憶媒体の内容に基づく診断を受けることも可能である。
【０１０８】
（実施の形態による効果）
手首式の電子血圧計１のカフ２０内部に加速度センサ２６と温度センサ２７を内蔵しておき、睡眠時に本体部１０をカフ２０から取外した後に、カフ２０のみを手首に装着する。そして、加速度センサ２６による体動の検出と温度センサ２７による体温の検出の結果に基づき、被測定者の睡眠と覚醒を測定する。
【０１０９】
したがって、時間という概念ではなく、睡眠前、起床後を正確に判断できるので、血圧測定結果の測定時間の信頼性が向上する。従って、早朝高血圧、夜間高血圧の傾向を発見できる。
【０１１０】
被測定者は、時計設定のような手間なく、起床時間、睡眠時間が測定できるので、使用者の利便性が向上する。
【０１１１】
また、脳波や呼吸測定のような高価で大型なシステムなど必要なく、安価で小型な加速度センサ２６と温度センサ２７にて実現可能である。
【０１１２】
また、睡眠を測定しようとして、脳波や呼吸などを測定しようとした場合、一般的には、被測定者の頭や顔などにセンサ装置を装着するため、使用者の負担となるが、本実施の形態では、加速度センサ２６や温度センサ２７は、手首にリストバンドのように、装着すればよいだけなので、使用者の負担が少ない。
【０１１３】
被測定者の測定時の状態として、睡眠時間が測定できるので、血圧測定結果の信頼性を向上できる。
【０１１４】
生活(起床と睡眠)リズムと内部設定時刻が大きく外れている場合、使用者に報知して、補正を促すことができる。
【０１１５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１６】
【図１】本実施の形態に係る手首式の電子血圧計の外観を示す図である。
【図２】本実施の形態に係る電子血圧計のエア系を説明する図である。
【図３】本実施の形態に係る手首式の電子血圧計のハードウェア構成図である。
【図４】本実施の形態に係るカフに本体部を着脱自在に係止するための構成を説明する図である。
【図５】本実施の形態に係るカフに本体部を着脱自在に係止するための構成を説明する図である。
【図６】本実施の形態に係るカフに本体部を着脱自在に係止するための構成を説明する図である。
【図７】（Ａ）〜（Ｃ）は、本実施の形態に係る本体部が装着されているか否かの検出機構の一例を説明する図である。
【図８】本実施の形態に係る本体部が装着されているか否かの検出機構の他の例を説明する図である。
【図９】本実施の形態に係る加速度センサについて説明する図である。
【図１０】本実施の形態に係る加速度センサについて説明する図である。
【図１１】本実施の形態に係る電子血圧計の機能構成図である。
【図１２】本実施の形態に係るメモリ部のデータ格納例を示す図である。
【図１３】本実施の形態に係る温度センサと加速度センサの出力信号の一例を示す図である。
【図１４】本実施の形態に係る睡眠時間を考慮した測定処理のフローチャートである。
【図１５】本実施の形態に係る血圧測定処理のフローチャートである。
【符号の説明】
【０１１７】
１０１  圧力調整部、１０２  血圧算出部、１０３  装着検出部、１０４  データ収集制御部、１０５  高さ検出部、１０６  報知部、１０７  状態判断部、１１１  就寝／起床時刻算出部、１１２  測定からの経過時間算出部、１１３  起床からの経過時間算出部、１１４  睡眠時間算出部、１０８  時刻補正ガイド部。
【図１】
2010099383.tif 000003
【図２】
2010099383.tif 000004
【図３】
2010099383.tif 000005
【図４】
2010099383.tif 000006
【図５】
2010099383.tif 000007
【図６】
2010099383.tif 000008
【図７】
2010099383.tif 000009
【図８】
2010099383.tif 000010
【図９】
2010099383.tif 000011
【図１０】
2010099383.tif 000012
【図１１】
2010099383.tif 000013
【図１２】
2010099383.tif 000014
【図１３】
2010099383.tif 000015
【図１４】
2010099383.tif 000016
【図１５】
2010099383.tif 000017